(57)【要約】  本発明は、家具（１０）、具体的には書き物机、事務用棚、または、事務用収納に関連する。家具（１０）は、本体（１１）から、最大引出位置まで引き出されうる引き出し、具体的には、引き出し（１４）内に配置される取り外し可能な収納庫（２０）を有する小道具用の引き出しを備える。それにより、最大引出位置において、引き出し（１４）は、本体（１１）から延出し、且つ、本体（１１）により依然として支持される。引き出し（１４）の後方領域において、収納庫（２０）を保持するための保持手段（２３）が、収納位置に設けられている。収納庫（２０）は、引き出し（１４）内に配置される。家具の使用者により、収納庫（２０）が引き出し（１４）と一体の部品として認識されるように収納庫（２０）が保持手段（２３）により保持されるとき、収納庫（２０）の前壁（２４）は、引き出し（１４）の後内壁（２８）を形成する。収納庫（２０）の内部空間（２７）は、最大引出位置で覆い隠される。
2008535593.tif 000002
【特許請求の範囲】
【請求項１】
家具、具体的には、机、事務用棚、または、事務用コンテナであり、
前記家具の本体（１１）から最大引出位置の範囲まで引き出されうる引き出し、より具体的には、小道具用の引き出しと、
前記引き出し（１４）内に配置されうる収納庫（２０）と、
を備え、
前記引き出し（１４）が、前記最大引出位置にて、前記本体（１１）により依然として支持される一方、前記本体（１１）を通り越して突出する、家具であって、
前記引き出し（１４）は、その引き出しの後部に、収納位置にて前記収納庫（２０）を保持するための保持手段（２３）を備え、
前記収納庫（２０）は、前記収納庫（２０）が前記保持手段（２３）により保持されるとき、前記収納庫（２０）の前壁（２４）が、前記引き出し（１４）の後内壁（２８）を構成するように、前記引き出し（１４）内に配置され、
それゆえに、当該家具の使用者が目で判定したときに、前記収納庫（２０）が前記引き出し（１４）と一体の部品として認識され、前記収納庫（２０）の内部空間（２７）は、前記最大引出位置にて、覆い隠されることを特徴とする家具。
【請求項２】
前記収納庫（２０）は、前記内部空間（２７）を隠すために、固定された、及び／または、移動可能な上壁（２５）を備えることを特徴とする請求項１に記載の家具。
【請求項３】
前記収納庫（２０）は、内部空間（２７）を見えないように覆い隠すために、カバー（２６）、より具体的には、折り畳み式のカバーを備えることを特徴とする請求項１または２に記載の家具。
【請求項４】
前記上壁（２５）は、完全に、または、部分的に前記カバー（２６）を備えるものとして構成されることを特徴とする請求項３に記載の家具。
【請求項５】
前記カバー（２６）は、前記収納庫（２０）が前記引き出し（１４）から取り外されたときのみに開かれることが可能となる請求項３または４に記載の家具。
【請求項６】
前記上壁（２５）及び／または前記カバー（２６）は、前記収納庫（２０）の収納位置においては、前記引き出し（１４）の上壁を構成し、具体的には、前記引き出し（１４）の内部間仕切り（１８）を構成する、ことを特徴とする請求項２〜５の何れかに記載の家具。
【請求項７】
前記引き出し（１４）が、進みうる範囲で引き出されたとき、前記収納庫（２０）は、その少なくとも一部が前記本体（１１）内に配置され、覆い隠されることを特徴とする請求項１〜６の何れかに記載の家具。
【請求項８】
前記保持手段（２３）は、前記収納庫（２０）を前記引き出し（１４）内に保持するためのクランプ用のクランプ手段（４５）、及び／または、留め金として作用する戻り止め手段を備えることを特徴とする請求項１〜７の何れかに記載の家具。
【請求項９】
前記保持手段（２３）は、前記収納庫（２０）を、当接部（３３）に対して弾性的に当接する形で、前記収納位置内に押し込むために、ばね装置（３８）を備えることを特徴とする請求項１〜８の何れかに記載の家具。
【請求項１０】
前記ばね装置は、前記引き出し（１４）の前面に向かって、前方向に弾性力をもたらすことを特徴とする請求項９に記載の家具。
【請求項１１】
前記保持手段（２３）は、前記収納庫（２０）の収納位置に、前記収納庫（２０）の前壁（２４）に当接する前記当接部（３３）を備えることを特徴とする請求項１〜１０の何れかに記載の家具。
【請求項１２】
前記当接部（３３）は、突起（３６）を備えるものとして構成されることを特徴とする請求項１１に記載の家具。
【請求項１３】
前記収納庫（２０）を取り外すために、前記引き出し（１４）の後部（１９）における前記保持手段（２３）
の前に、自由移動空間（４４）が存在することを特徴とする請求項１〜１２の何れかに記載の家具。
【請求項１４】
前記引き出し（１４）が、前記本体（１１）から略完全に取り外されたときにのみ、前記収納庫（２０）は、前記保持手段（２３）から取り外されうることを特徴とする請求項１〜１３の何れかに記載の家具。
【請求項１５】
少なくとも前記引き出し（１４）の後部と、前記収納庫（２０）とは、同じ色を有し、及び／または、同じ材料、具体的には、合成樹脂、にて形成されることを特徴とする請求項１〜１４の何れかに記載の家具。
【請求項１６】
前記収納庫（２０）の幅は、前記引き出し（１４）の内側の幅と略等しいことを特徴とする請求項１〜１５の何れかに記載の家具。
【請求項１７】
前記収納庫（２０）は、貴重品箱であることを特徴とする請求項１〜１６の何れかに記載の家具。
【発明の詳細な説明】
【発明の詳細な説明】
【０００１】
本発明は、家具、具体的には、机、事務用棚、または、事務用コンテナに関する。家具は、家具の本体から最大引出位置の範囲まで引き出されうる引き出し、より具体的には、小道具用の引き出しと、引き出し内に配置される収納庫と、を備える。引き出しは、最大引出位置にて本体により依然として支持される一方、本体を通り越して突出する。
【０００２】
例えば、収納庫は、引き出し内に配置されうる箱、貴重品箱等としてもよい。収納庫は、収納庫内に配置された物品が都合良くアクセスされるように、引き出しから取り外されうる。
【０００３】
例えば、従来の貴重品箱が引き出し内に配置されたとき、貴重品箱は、取り外し可能な収納庫として容易に視認されうる。しかしながら、物品がおよそ秘密に家具内に配置されるとき、物品は、何らかの形で覆い隠されなければならない。容易に個別の収納庫として認識される従来の収納庫内に、物品が単に置かれた場合には、物品が覆い隠される対象となるべき人物により、物品が容易に発見されうる。
【０００４】
従って、本発明の１つの目的は、隠し収納庫を備えた家具を提供することである。
この目的を達成するために、最初に言及されるタイプの家具の場合には、収納位置にて収納庫を保持するための保持手段を、引き出しの後部に設けるようにされている。収納庫が保持手段により保持されるとき、収納庫の前壁が、引き出しの後内壁を構成するように、引き出し内に配置され、それゆえに、家具の使用者が目で判定したときに、収納庫が引き出しと一体の部品として認識され、収納庫の内部空間は、最大引出位置にて、覆い隠される。
【０００５】
収納庫は、非常に調和した形で引き出しと一体にされるので、収納庫は、収納位置において、引き出しの部品として見せかけられる。例えば、収納庫は、引き出しの後部、特に、内部の間仕切り等と同一の色及び／または類似の表面形状を備えうる。少なくとも内部の間仕切りの後部において、内部の間仕切り及び収納庫は、同じ材料で製造されることが好ましい。例えば、引き出しの内部の間仕切り及び収納庫は、同種の合成樹脂にて形成してもよい。さらには、同一または類似の表面形状、例えば、溝付きの形状が好ましい。
【０００６】
このような収納庫においては、内部空間を覆うために、固定された、及び／または、移動可能な上壁、より具体的にはカバー、が設けられることが好ましい。この上壁または、カバーは、それぞれ、引き出しの内部の間仕切りの上壁として認識される。
【０００７】
例えば、カバーとして、固定された上壁部と移動可能な上壁部とを組み合わせて構成することも可能である。
一方では、引き出しが、本体から最大延出位置まで引き出されたときにさえ、引き出しが引き出された位置において、収納庫内に配置された物品が見られないように、カバーが収納庫を完全に閉じるようにされることが好ましい。
【０００８】
他方では、原則的に、例えば、引き出しの最大引出位置において視認可能な収納庫の前部が、上壁、または、上壁部により、または、カバーにより、それぞれ覆い隠されれば十分とされうる。
【０００９】
さらには、例えば、引き出しの最大引出位置において、収納庫の前壁のみが視認可能な場合には、上方が開放された収納庫の内部空間は、最大引出位置にて覆い隠されうる。
カバーは、例えば、折り畳み式のカバー、スライド式のカバー、スナップ式のカバー等である。収納庫が引き出しから取り外されたときにのみカバーが開けられることが可能となることは有利である。例えば、カバーは、閉じられた位置にて、保持手段により保持されうる。
【００１０】
収納庫は、本体内に、少なくとも部分的に、配置され、また、覆い隠される。例えば、本体そのもの、または、本発明に従い設計された引き出しの上に形成されたさらなる引き出しは、引き出しが進みうる限り本体から引き出されたときでさえも、収納庫を、完全に、または、部分的に覆い隠す。
【００１１】
保持手段は、引き出し内で収納庫をクランプするか、または、掴むために、クランプ手段を備えることが好ましい。
収納庫を、引き出し、または、保持手段のそれぞれに固定するために、戻り止め手段として、例えば、係合突起が設けられることもまた可能である。
【００１２】
より具体的には、当接部に対して当接するよう、弾性的に収納庫を収納位置に押し込むばね装置が設けられることが好ましい。ばね装置を設けることにより、収納庫の保持手段における信頼性の高い保持状態を実現することが可能となる。さらに、この保持手段からの収納庫の取り外しもまた、このばね装置により支援されうる。
【００１３】
収納庫がばね装置の支援を受けて保持手段から外側に（例えば、前方に）移動するように、家具の使用者は、ばね装置（ばね装置は好ましくは前方に向かって弾性力を付与している）の力に抗して収納庫を押し、その後、収納庫が当接部から離れるように、収納庫を回転及び／またはスライドさせうる。
【００１４】
保持手段は、引き出しに配置された突起であって、収納庫の収納位置において、前壁から突出するように配置された突起を備えることが好ましい。例えば、この突起は、上述したばね装置と協働する当接部を構成する。なお、さらなる突起及び／または当接部を設けることが、収納庫を収納位置に保持する保持手段として都合が良いことは、明らかであろう。
【００１５】
引き出しが完全に、または、少なくとも略完全に本体から引き出されたとき、例えば、引き出しが最大引出位置にあるとき、にのみ、収納庫は、保持手段から取り外されうることが好ましい。
【００１６】
収納庫の幅は、引き出しの内側の幅と略等しくされることが好ましい。しかしながら、本発明に従い、引き出しの後部に、いくつかの収納庫、例えば２つの収納庫を設けることも可能である。収納庫の前に、内部間仕切り、例えば、２つの内部間仕切りが設けられうる。収納庫と内部間仕切りとの幅は、収納庫の前壁が、内部間仕切りの後方の内壁として視認されるように相互に関連することが好ましい。
【００１７】
続いて、本発明の１つの実施形態が、添付の図面を参照して説明される。
実施例のハンドル１３を用いて、引き出し１２が家具１０の本体１１から引き出されうる。家具１０は、例えば、側壁４７、上壁４８及び図示されていない底壁を備えている。例えば、本体１１は、机の底部であり、より具体的には、児童または少年向けの机、棚、または、車輪付きコンテナ等の底部である。
【００１８】
引き出し１２の上に、本発明によるさらなる引き出し１４が設けられ、引き出し１４もまた、本体１１から引き出されうる。例えば、引き出し１４は、例えば、筆記具、紙クリップ、消しゴム等の小道具用の引き出しである。引き出し１４が部分的に、または、完全に本体１１から引き出されたとき、引き出し１４の内部間仕切り１８にて区分けされた領域または受け皿１７は、例えば、カップ、筆記具、紙クリップ、または、他の小道具が、区分けされた領域、または、受け皿に並べられたり、配置されうるように、上方からアクセスできるようにされている。
【００１９】
引き出し１４の本体２１は、本体１１に完全に押し込まれうる。例えば、引き出し本体２１は、合成樹脂材料製であり、間仕切り１８を備えている。
引き出し本体２１の前面１５には、前部２２、または、収容部が設けられている。前部２２は、例えば、物が置かれうる収容溝のような収容部１６を備えている。収容部１６もまた、引き出し１４が閉じられた状態で、前方からアクセス可能である。前部２２または、収容溝は、それぞれ引き出し１４の操作のために掴むための取っ手を形成する。収容溝は、引き出し１４の前面の幅全体に沿って延出しており、引き出し１４の前部を構成する。
【００２０】
図２は、引き出し１４の本体１１からの最大引出位置を示す。図示されていない配置された当接装置により、引き出し１４が本体１１から、さらに引き出されることが防止される。引き出し１４は、例えば、図示されていないガイド上で移動する。ガイドは、例えば、本体１０上に配置され、最大引出位置を制限するための前側当接部を有する、はめ込み形のガイドである。この最大引出位置においても、ガイドは、依然として、本体１１内、または、本体１１上で引き出し１２を保持しうる。この最大引出位置において、引き出し１４の後部１９は、依然として本体１１内にある。
【００２１】
後部１９には、収納庫２０が配置されうる。収納庫２０は、引き出し１４または間仕切り１８のそれぞれと一体の部品として視認され、例えば、図２に示されるように、引き出し１４内に配置される。家具１０の使用者にとって、収納庫２０が、引き出し１４から取り外し可能な個別の部品を構成することは明らかでないであろう。収納庫２０は、後部１９と同じ形または同じデザインの外観を備えている。収納庫２０は、本実施形態の場合には、内部間仕切り１８と同一の視認上の外観（例えば、内部間仕切り１８と同一の色及び表面形状）を有している。内部間仕切り１８及び収納庫２０は、同一の合成樹脂材料にて製造されることが好ましい。
【００２２】
引き出し本体２１の後部１９において、収納庫２０のための保持手段２３が設けられている。引き出し１４が本体から最大引出位置まで引き出されたときでさえも、後部１９は本体１１内にあり、つまり、後部１９は本体１１に覆い隠されている。家具１０の使用者は、引き出し１４が、進みうる限り引き出された状態で、収納庫２０の前壁２４及び上壁２５を視認しうる。
【００２３】
前壁２４及び上壁２５は、カバー２６の部品である。カバー２６は、本実施形態では、折り畳み式、または、ヒンジ式のカバーである。
上壁２５またはカバー２６は、それぞれ収納庫２０の内部空間２７を覆い隠す。それゆえに、内部空間２７は、引き出し１４の最大引出位置においても覆い隠され、また、見ることができない。収納庫２０が引き出し１４に挿入された状態、つまり、収納された状態で、収納庫２０の前壁２４は、引き出し１４、または、その間仕切り１８のそれぞれの後内壁２８をも構成する。収納庫２０の上壁２５は、引き出し本体２１の上壁として作用する。前壁２４及び引き出し本体２１の上壁は、収納位置において、収納庫２０が、引き出し１４と一体の部品として見えるように、引き出し１４の残りの部品、例えば、内部間仕切り１８に、実質的に隙間が無い状態で、つまり、好ましくは、小さな隙間をあけた状態で、共に取り付けられる。家具１０の使用者は、収納庫２０が家具１０から取り外されることが可能であり、ある種の隠し収納庫を構成することが判らないであろう。例えば、上壁２５及び／または前壁２４に、例えば溝状の表面形状が設けられる。また、あるいは、上壁２５及び／または前壁２４は、引き出し１４の内部間仕切り１８のデザインと統一される。
【００２４】
収納庫２０は、事実上は、引き出し本体２１の内部幅全体にわたって延びている。引き出し本体２１の側壁４９と前壁２４との間は狭いので、隙間があることはほとんど見えない。
【００２５】
最大引出位置において、引き出し１４は、本体１１から外側に、ライン２９の範囲まで移動されている。そのとき、収納庫２０の大部分が、依然として、本体１１内にあることは、図３にてより具体的に示される。収納庫２０は、原則的に、保持手段２３から前方に取り外すことが可能である。
【００２６】
保持手段２３は、収納庫２０が挿入されうる、例えば、前方から斜めに収納庫２０が挿入されうる凹部３０を備えている。凹部３０は、本実施形態のように、底に、底当接部、例えば、保持突起３１を備えうる。保持突起３１は、例えば、凹部３０の底部の側方、及び／または、前方、及び／または、後方に配置される。
【００２７】
収納庫２０は、さらには、その収納位置にて、上当接部３２及び前当接部３３により保持される。
上当接部３２は、後壁３５から前方に凹部３０に向かって延出する突起３４にて構成される。この後突起３４は、後壁３５の上境界部に配置される。収納位置において、収納庫２０は、下側から上当接部３２に接触する。
【００２８】
前当接部３３は、引き出し１４、または、内部間仕切り１８のそれぞれの上にある前突起３６により構成されている。前突起３６は、引き出し１４内の後区域３７の床部４６の前にて上方に突出する。収納位置において、収納庫２０は、前壁２４にて前突起３６に当接する。
【００２９】
収納庫２０を保持手段２３から取り外すために、収納庫２０は、まず最初に上方に回転される。それゆえに、収納庫２０は、前突起３６を通って移動され、それから、収容部２２に向かって前方に取り外されうる。回転の動きは、例えば、図４に示される。収納庫２０の取り外し及び移動用の空間４４として、収納庫２０の幅方向にて、保持手段２３の前に延出する引き出し１４の後区域３７が設けられている。
【００３０】
ばね装置３８は、収納庫２０を保持手段２３内にて保持する。ばね装置３８のばね要素３９は、後壁３５、例えば、後壁３５の横方向の端部に配置される。収納庫２０は、ばね装置３８の弾性力に抗して、後方に向かって斜めに保持手段２３に挿入される。
【００３１】
ばね要素３９は、前方に弾性力を及ぼす。つまり、ばね要素３９は、収納庫２０が、前当接部３３、または、突起３６のそれぞれに対して当接するよう、収納庫２０を保持手段２３内において強制的に配置する。保持手段２３からの取り外しのために、収納庫２０は、ばね装置３８の弾性力に抗して後方に予め定められた距離だけ押される。その結果、収納庫２０は、前当接部３３に接触しない状態になるよう移動され、その後、上方に回転されうる。ばね装置３８は、収納庫２０の保持手段２３からの取り外しを支援する。これは、収納庫２０が前突起３６を通り過ぎて回転されたとき、ばね装置３８が、収納庫２０を前方にシフトさせる、つまり、家具の使用者に向かって移動させるからである。
【００３２】
ばね要素３９は、引き出し本体２１と一体の部品として形成されることが好ましい。ばね要素３９は、例えば、合成樹脂からなる弾性部品、（図面に示されるように）折り曲げられたばねを横方向に有するヨーク形の部品等である。ヨーク形のばね要素３９が配置されていない内部空間に、合成樹脂からなる弾性的な緩衝器、ダンパ要素等を設けることも可能であることは、明らかであろう。さらには、本発明によるばね装置に関しては、金属ばね要素、または、他の弾性のある弾性手段を適用することが有利である。
【００３３】
ばね装置３８及び前当接部３３は、収納庫２０を保持手段２３内にクランプするためのクランプ手段４５を構成する。
収納庫２０は、例えば、貴重品箱として設計される。床４１と、床４１から上方に突出する側壁４２とを備える下部４０は、内部空間２７の範囲を定める。収納庫２０の後側壁４２に、カバー２６がヒンジ結合される。カバー２６が閉じられた状態において、上壁２５は、内部空間２７を閉鎖する。さらには、カバー２６が閉じられた状態で、前側壁４２及び側壁４３の前に延出するカバー２６により構成される前壁２４は、下部４０の横側壁４２の前に延出するか、または、側壁４２を完全に、または、部分的に覆い隠す。
【００３４】
前壁２４が当接部３３または突起３６のそれぞれに対して当接するので、収納位置において、つまり、収納庫２０が保持手段２３に挿入された位置において、カバー２６は、開かれない。
【図面の簡単な説明】
【００３５】
【図１】本発明による家具を、正面側から斜め下方に見た斜視図を示し、本図では、１つの引き出しが本体に押し込まれている。
【図２】図１による家具を示し、本図では、本体から引き出しが引き出されると共に、引き出しの後部に配置された収納庫が部分的に隠されている。
【図３】図２による家具における引き出しの正面側斜視図を示し、本図では、収納庫が、引き出しの後方において、その収納位置に配置されている。
【図４】図３による引き出し及び収納庫を示し、本図では、収納庫が、既に部分的に引き出しから取り外され、つまり、回転されている。
【図５】図３及び図４による引き出しを示しており、本図では、収納庫が完全に取り外されている。
【図６】図３及び図４による収納庫の斜視図を示し、本図では、カバーが閉じられている。
【図７】図６に相当する図であり、本図では、収納庫のカバーが開かれている。
【図１】
2008535593.tif 000003
【図２】
2008535593.tif 000004
【図３】
2008535593.tif 000005
【図４】
2008535593.tif 000006
【図５】
2008535593.tif 000007
【図６】
2008535593.tif 000008
【図７】
2008535593.tif 000009
【国際調査報告】
2008535593.tif 000010
2008535593.tif 000011
2008535593.tif 000012
2008535593.tif 000013